(57)【特許請求の範囲】
【請求項１】
放送番組の視聴率情報を生成することができる情報センタと、
該情報センタにおいて生成された視聴率情報を得る手段を有すると共に放送番組の記録再生機能を有する記録装置とからなり、
該記録装置は、放送番組を構成するコンテンツの要素に基づくジャンルで分類されている放送番組の中から視聴率を予め設定する手段と、該設定した視聴率と前記情報センタにおいて生成された視聴率情報とを比較し、前記設定した視聴率以上の放送番組を自動的に記録する手段とを備えると共に、
前記記録装置には、前記情報センタにおいて生成された視聴率情報が予め設定した視聴率の近傍である時は、その視聴率近傍の放送番組を記録し、該記録した放送番組が前記予め設定した視聴率以下の視聴率であった時は、記録した視聴率近傍の放送番組を削除する機能を備えたこと
を特徴とする放送番組記録装置。
【請求項２】
前記視聴率以上の放送番組を自動的に記録する手段は、過去の視聴率データに基づいて高視聴率になる可能性の高い放送番組を自動的に記録すること
を特徴とする請求項１に記載の放送番組記録装置。
【発明の詳細な説明】
【０００１】
【発明の属する技術分野】
本発明は、放送番組記録装置に関する。詳しくは、視聴率情報をもとに高視聴率の放送番組を自動的に記録する放送番組記録装置に関する。
【０００２】
【従来の技術】
従来、放送番組を記録する時には、ユーザが放送時間やチャンネル等の情報をその都度放送番組記録装置に設定している。又、最近ではデジタル放送が普及しはじめ、チャンネル数やコンテンツが飛躍的に多くなってきており、これらの放送番組情報は、電子番組ガイド（ＥＰＧ）情報により放送内容や出演者等のさまざまなジャンルに分類して提供されている。これに対応して放送時間やチャンネル等の他に放送番組のジャンルや出演者を設定しておき、これらを判断材料として放送番組を記録する装置も出現している。
【０００３】
一方、放送番組の視聴率は、リサーチ会社等により選択された世帯に取付けられた視聴率測定器によって秒単位で記録されており、電話回線等を使い自動集計して様々なジャンルに分類された視聴率情報として提供されている。
【０００４】
【発明が解決しようとする課題】
しかしながら、今日のようにチャンネル数やコンテンツが大量になってくるとそれらを全て把握して記録したい放送番組を選択することが困難になりつつある。又、従来の放送番組記録装置では、予め放送時間やチャンネル、放送番組のジャンル、出演者等の情報を設定しなければならないので、今まで見たことがないが話題となっている高視聴率番組を記録する等というようなことはできないという問題がある。
【０００５】
従って、所定の視聴率のある放送番組を視聴する機会を失しないで視聴できること、並びに放送番組を視聴する機会がなかった時期、期間に話題又は関心のある放送番組が視聴できることに解決しなければならない課題を有する。
【０００６】
【課題を解決するための手段】
前記課題を解決するため、本発明に係る放送番組記録装置は、放送番組の視聴率情報を生成することができる情報センタと、該情報センタにおいて生成された視聴率情報を得る手段を有すると共に放送番組の記録再生機能を有する記録装置とからなり、該記録装置は、放送番組を構成するコンテンツの要素に基づくジャンルで分類されている放送番組の中から視聴率を予め設定する手段と、該設定した視聴率と前記情報センタにおいて生成された視聴率情報とを比較し、前記設定した視聴率以上の放送番組を自動的に記録する手段とを備えると共に、前記記録装置には、前記情報センタにおいて生成された視聴率情報が予め設定した視聴率の近傍である時は、その視聴率近傍の放送番組を記録し、該記録した放送番組が前記予め設定した視聴率以下の視聴率であった時は、記録した視聴率近傍の放送番組を削除する機能を備えたことである。
【０００７】
又、前記視聴率以上の放送番組を自動的に記録する手段は、過去の視聴率データに基づいて高視聴率になる可能性の高い放送番組を自動的に記録することである。
【０００８】
このように、予め設定した視聴率以上の放送番組を自動的に記録するようにしたことにより、高視聴率の放送番組を視聴する機会を失しないで視聴できること、並びに高視聴率の放送番組を視聴する機会がなかった時期、期間に話題又は関心のある放送番組が後でも視聴できるようになる。
【０００９】
【発明の実施の形態】
次に、本発明に係る放送番組記録装置の実施の形態を図面を参照して説明する。
【００１０】
本発明の第１の実施の形態の放送番組記録装置は、図１に示すように、放送番組の視聴率を生成する情報センタ１００と、この情報センタ１００に接続し、予め設定した視聴率以上の高視聴率の放送番組を自動的に記録するユーザ記録装置２００とから構成されている。
【００１１】
情報センタ１００は、過去の視聴率や年代、性別、趣味等の様々なジャンルに分類された視聴率情報、電子番組ガイド情報等を提供する。
【００１２】
ユーザ記録装置２００は、テレビジョン２２０と、情報センタ１００から視聴率情報を受信する手段を備えた記録装置２１０とから構成され、テレビジョン２２０と記録装置２１０とは接続され、記録装置２１０に記録されている放送番組を選択してテレビジョン２２０に映し出すことができる。
【００１３】
記録装置２１０は、視聴率情報を有する情報センタ１００に接続する手段と、情報センタ１００から視聴率情報を得る手段と、視聴率を設定する手段と、設定した視聴率と情報センタから得た視聴率情報を比較して放送番組を自動的に記録又は削除する手段とを備えた構成となっている。又、情報センタ１００とユーザ記録装置２００は電話回線３００により接続した構成となっている。
【００１４】
このような構成において、記録装置２１０は、例えば、”２０％以上”等所望の視聴率を設定する。次に、放送番組記録装置２１０は、電話回線３００等の通信手段で接続された情報センタ１００から送られてくる視聴率情報と予め設定した視聴率とを比較し、放送番組の視聴率が２０％以上であれば自動的に記録し、２０％未満の場合は記録しない。
【００１５】
このようにして、いわゆる高視聴率の放送番組のみを記録することによって、ある時間又はある期間の放送番組を視聴する機会がなかった場合においても、視聴機会を逃すことなく、現に話題になっているものや人気傾向にある放送番組を適格に選択して視聴することができるようになる。
【００１６】
尚、記録装置２１０の設定として、例えば２０％”以下”としても良いし、２０％”以上”２５％”未満”のように視聴率の上限値と下限値の範囲を定めて設定をしても良い、或いは、視聴率を自動的に設定しても良い。又、例えば、視聴率の近傍値である１５％以上になったら記録を始め、放送番組終了後に最終的な視聴率が２０％以上とならなかった場合は記録した放送番組を削除するというように設定することも可能である。
【００１７】
次に、第２の実施の形態の放送番組記録装置について、上述の第１の実施の形態で採用した図１を参照し、所望のジャンルと視聴率を設定して放送番組を記録する場合について説明する。尚、構成は上述した第１の実施の形態と同じであるのでその説明は省略する。
【００１８】
第２の実施の形態のユーザ記録装置２００は、記録装置２１０に所定のジャンルを設定する手段を備えたことである。
【００１９】
まず、記録装置２１０に例えば”２０％以上”等所望の視聴率と”ゴルフ”や”海”など所定のジャンルを設定する。ここでジャンルは、放送番組を構成するコンテンツの要素に基づいて分類されているものであり、放送番組に出ている出演者、同年代、同性、同趣味等に基づいて分類されている。この分類は適宜変更できるようになっていることは勿論のことである。
【００２０】
次に、記録装置２１０は電話回線３００等の通信手段で接続された情報センタ１００から電子番組ガイド（ＥＰＧ）情報からゴルフや海のジャンルに該当する放送番組情報と視聴率情報を得る。そして、設定したジャンルに該当するか否か、又は、予め設定した視聴率と視聴率情報とを比較判断して、ゴルフや海のジャンルに属している番組、又は、視聴率が２０％以上の放送番組であれば自動的に記録する。
【００２１】
尚、放送番組記録装置２１０の視聴率の設定は、設定した視聴率の値”以下”としても良いし、視聴率の上限値と下限値の範囲を決めて設定しても良い、或いは、自動的に視聴率を設定するようにしても良い。又、設定した視聴率の近傍値である下限値以上となったら記録を開始し、記録終了後に設定した視聴率の上限値未満であれば視聴率の近傍値で記録した放送番組を削除することもできる。又、設定するジャンルは複数であっても良い。
【００２２】
次に、第３の実施の形態の放送番組記録装置について、上述の第１の実施の形態で採用した図１を参照し、過去の視聴率データを利用して放送番組を記録する場合について説明する。尚、構成は上述した第１の実施の形態と同じであるのでその説明は省略する。
【００２３】
情報センタ１００は、過去の視聴率や年代、性別、趣味等の様々なジャンルに分類された視聴率情報、電子番組ガイド（ＥＰＧ）情報等を提供し、ユーザ記録装置２００は、過去の視聴率に基づいて高視聴率になる可能性の高い放送番組を記録する機能を備えている。
【００２４】
先ず、記録装置２１０に例えば”２０％以上”等所望の視聴率と”ゴルフ”や”海”など所望のジャンルを設定する。次に、記録装置２１０は電話回線３００等の通信手段で接続された情報センタ１００から過去の視聴率と電子番組ガイド（ＥＰＧ）情報を得る。そして、電子番組ガイド（ＥＰＧ）情報からゴルフや海のジャンルの放送番組を選び、且つ、過去の視聴率情報から２０％以上の視聴率であったものを選んで記録装置２１０に記録する。
【００２５】
尚、放送番組記録装置２１０の視聴率の設定は、設定した視聴率の値”以下”としても良いし、視聴率の上限値と下限値の範囲を決めて設定しても良い、或いは、自動的に視聴率を設定するようにしても良い。又、設定した視聴率の近傍値である下限値以上となったら記録を開始し、記録終了後に設定した視聴率の上限値未満であれば記録した放送番組を削除することもできる。又、設定するジャンルは複数であっても良い。
【００２６】
【発明の効果】
以上説明したように、放送番組記録装置は電話回線等により接続された情報センタの様々なジャンルに分類された視聴率情報と、ユーザにより設定された視聴率とを比較して放送番組を選定し、自動的に記録することにより、話題となっている放送番組や最近の人気放送番組等の高視聴率放送番組を見逃すことなく確実に視聴できるという効果がある。
【図面の簡単な説明】
【図１】本発明に係る情報センタと記録装置とからなる放送番組記録装置の略示的な構成を示した説明図である。
【符号の説明】
１００；情報センタ、２００；ユーザ記録装置、２１０；記録装置、２２０；テレビジョン、３００；電話回線
【図１】
0004292650.tif 000002